(57)【特許請求の範囲】
【請求項１】
使用者の体に作用して使用者の健康を増進させる作用部と、前記作用部を所定のパターンで動作させるための動作プログラムが複数登録された記憶部と、前記記憶部に登録された複数の動作プログラムから所望の動作プログラムを選択する操作を行うための選択操作部と、前記選択操作部を用いて選択された動作プログラムを実行することによって前記作用部を動作させる制御部とをそれぞれ具備した複数台の健康増進機器と、
複数台の前記健康増進機器がネットワークを介して接続されるセンターサーバとを有し、
各々の前記健康増進機器には、前記ネットワークを介して前記センターサーバとの間で通信を行う通信部と、前記作用部を動作させる毎に前記選択操作部により選択された動作プログラムの使用情報を前記通信部から前記センターサーバへ送信させる使用情報通知部と、表示部とが設けられ、
前記センターサーバには、各々の前記健康増進機器から送信された動作プログラムの使用情報を集計して、各動作プログラムの使用状況を判定する判定部と、前記判定部の判定結果を各々の前記健康増進機器に配信する配信部とが設けられ、
前記判定部は、複数の年齢範囲で、複数の動作プログラムの使用頻度をそれぞれ集計し、
前記表示部は、前記センターサーバから配信された前記判定部の集計結果に基づいて、複数の動作プログラムの使用頻度を複数の年齢範囲でそれぞれ集計した結果を示す複数のグラフを１つの画面に表示することを特徴とする健康増進システム。
【請求項２】
前記表示部に前記センターサーバから配信された前記判定部の判定結果が表示された状態で、前記表示部に表示された複数の動作プログラムから記憶部に未登録の動作プログラムが前記選択操作部を用いて選択されると、選択された動作プログラムのダウンロードを要求するダウンロード要求を前記通信部から前記センターサーバへ送信させるダウンロード要求部と、ダウンロード要求に応じて前記センターサーバから配信された動作プログラムを前記記憶部に登録するプログラム登録部とを各々の前記健康増進機器に設けたことを特徴とする請求項１記載の健康増進システム。
【請求項３】
各々の前記健康増進機器に、使用者の年齢、身長を含む個人情報を入力するための入力操作部を設け、前記入力操作部により入力された個人情報が前記通信部から前記センターサーバに送信されると、前記センターサーバの前記判定部が、複数の動作プログラムの使用状況と、前記入力操作部により入力された個人情報とに基づいて、前記使用者に推奨する動作プログラムを選択し、前記動作プログラムを前記配信部が送信元の前記健康増進機器へ配信することを特徴とする請求項１又は２記載の健康増進システム。
【発明の詳細な説明】
【技術分野】
【０００１】
本発明は、健康増進システムに関するものである。
【背景技術】
【０００２】
従来、トレーニング機器と、トレーニング機器にネットワークを介して接続され、トレーニング機器で用いられる複数種類の運動プログラムを保持するサーバとをネットワークを介して接続したトレーニング機器運用システムが提案されている。
【特許文献１】特開２００２−２６３２１３号公報
【発明の開示】
【発明が解決しようとする課題】
【０００３】
上述のシステムでは、利用者の要求にしたがってサーバに保持された運動プログラムをトレーニング機器にダウンロードすることは可能であるが、個々の利用者は、他の利用者がどの運動プログラムを使って運動しているのかを知ることができず、各利用者が自己の判断で利用したい運動プログラムを選択するしか方法がなかった。
【０００４】
本発明は上記問題点に鑑みて為されたものであり、その目的とするところは、複数の動作プログラムの使用状況を参考にして、使用する動作プログラムを選択することができる健康増進システムを提供することにある。
【課題を解決するための手段】
【０００５】
上記目的を達成するために、請求項１の発明は、使用者の体に作用して使用者の健康を増進させる作用部と、作用部を所定のパターンで動作させるための動作プログラムが複数登録された記憶部と、記憶部に登録された複数の動作プログラムから所望の動作プログラムを選択する操作を行うための選択操作部と、選択操作部を用いて選択された動作プログラムを実行することによって作用部を動作させる制御部とをそれぞれ具備した複数台の健康増進機器と、複数台の健康増進機器がネットワークを介して接続されるセンターサーバとを有し、各健康増進機器には、ネットワークを介してセンターサーバとの間で通信を行う通信部と、作用部を動作させる毎に選択操作部により選択された動作プログラムの使用情報を通信部からセンターサーバへ送信させる使用情報通知部と、表示部とが設けられ、センターサーバには、各健康増進機器から送信された動作プログラムの使用情報を集計して、各動作プログラムの使用状況を判定する判定部と、判定部の判定結果を各健康増進機器に配信する配信部とが設けられ、判定部は、複数の年齢範囲で、複数の動作プログラムの使用頻度をそれぞれ集計し、表示部は、センターサーバから配信された判定部の集計結果に基づいて、複数の動作プログラムの使用頻度を複数の年齢範囲でそれぞれ集計した結果を示す複数のグラフを１つの画面に表示することを特徴とする。
【０００６】
請求項２の発明は、請求項１の発明において、表示部にセンターサーバから配信された判定部の判定結果が表示された状態で、表示部に表示された複数の動作プログラムから記憶部に未登録の動作プログラムが選択操作部を用いて選択されると、選択された動作プログラムのダウンロードを要求するダウンロード要求を通信部からセンターサーバへ送信させるダウンロード要求部と、ダウンロード要求に応じてセンターサーバから配信された動作プログラムを記憶部に登録するプログラム登録部とを各健康増進機器に設けたことを特徴とする。
【０００７】
請求項３の発明は、請求項１又は２の発明において、各健康増進機器に、使用者の年齢、身長を含む個人情報を入力するための入力操作部を設け、入力操作部により入力された個人情報が通信部からセンターサーバに送信されると、センターサーバの判定部が、複数の動作プログラムの使用状況と、入力操作部により入力された個人情報とに基づいて、当該使用者に推奨する動作プログラムを選択し、当該動作プログラムを配信部が送信元の健康増進機器へ配信することを特徴とする。
【発明の効果】
【０００８】
請求項１の発明によれば、各健康増進機器で何れかの動作プログラムが使用されると、使用情報通知部がこの動作プログラムの使用情報を通信部からセンターサーバに送信させており、センターサーバの判定部で各動作プログラムの使用状況が判定されて
、その判定結果が健康増進機器に配信されるので、健康増進機器を使用する使用者は、表示部の表示をもとに各動作プログラムの使用状況（例えば使用頻度の高い動作プログラム）を読み取ることができ、動作プログラムを選択する際の参考にすることができる。
【０００９】
請求項２の発明によれば、健康増進機器のダウンロード要求部からセンターサーバへ動作プログラムのダウンロード要求を送信すると、このダウンロード要求に応じてセンターサーバから動作プログラムが配信されるので、動作プログラムが更新されたり追加された場合に、ネットワークを介してセンターサーバから各健康増進機器に動作プログラムを配信することで、動作プログラムの変更や追加に容易に対応することができる。
【００１０】
請求項３の発明によれば、使用者の年齢や身長などの個人情報をもとに使用者の身体能力に合わせた動作プログラムを提示することによって、健康の増進により有効な動作プログラムを使用者に提供することができる。
【発明を実施するための最良の形態】
【００１１】
以下に本発明の実施の形態を図面に基づいて説明する。
【００１２】
図１は本発明に係る健康増進システムの概略構成を示す。個人の住宅Ａにおいてイーサネット（登録商標）によりＬＡＮ２０１が構築され、当該ＬＡＮ２０１が住宅盤３内に収納された情報ブレーカと呼ばれるセキュリティ機器３ａを介してＷＡＮを構成するインターネット２０２に接続されている。ここで、セキュリティ機器３ａは、宅内の機器に対する不正アクセスと思われるパケットを自動破棄する機能などを備えている。
【００１３】
使用者の住宅Ａには使用者の健康を増進するための健康増進機器があり、これらの健康増進機器はネットワーク（宅内ＬＡＮ２０１およびインターネット２０２）を介してセンターサーバ１００に接続されている。なお使用者の健康を増進する健康増進機器としては、使用者の運動に資する機器（以下、運動関連機器と言う。）や、体調の回復に資する機器（以下、回復関連機器と言う。）があるが、本実施形態では運動関連機器として他動運動機器１を、回復関連機器としてマッサージ機２を使用する場合を例に説明を行う。
【００１４】
一方、他動運動機器１やマッサージ機２を動作させるための各種の動作プログラムを提供する事業者Ｂには、サービスの利用契約を結んだ利用者が所有する他動運動機器１やマッサージ機２に対して動作プログラムをダウンロードする機能を備えたセンターサーバ１００が設置されている。ここにおいて、事業者Ｂ側のセンターサーバ１００と、インターネット２０２と、事業者Ｂとの間でサービスの利用契約を結んだ利用者の住宅Ａ内のＬＡＮ２０１と、住宅Ａ内に設置された他動運動機器１およびマッサージ機２などで本システムが構成される。尚、図１では図示を簡単にするために住宅Ａを１戸しか図示していないが、実際には複数の利用者が事業者Ｂとの間でサービスの利用契約を締結し、複数台の他動運動機器１やマッサージ機２がネットワークを介してセンターサーバ１００に接続されている。
【００１５】
他動運動機器１は使用者に対して他動的な運動を行わせるものであり、本実施形態では、例えば、使用者が跨いで着座する鞍状の座席部を揺動運動させることによって、乗馬運動を模した運動負荷を与える乗馬型の運動機器を用いている。図２は他動運動機器１の概略的なブロック図を示し、マイクロコンピュータからなり各回路要素の全体的な制御を行う演算処理部１１と、鞍状の座席部１２を揺動運動させる駆動部１３と、外部との間で例えば赤外線通信やブルートゥースなどの通信方式により近距離の無線通信を行う通信部１４と、電源のオン／オフ操作や、運動プログラムの選択操作や、座席部１２を揺動させる速さや運動時間などの選択操作を行うための操作部１５と、座席部１２を所定のパターンで揺動させるための動作プログラムを複数記憶した記憶部１６と、例えば液晶ディスプレイからなる表示部１７とを備えている。ここに、座席部１２と駆動部１３とで、使用者の体に作用して使用者の健康を増進させる作用部が構成される。
【００１６】
そして、使用者が選択操作部たる操作部１５を用いて所望の動作プログラムを選択し、スタート操作を行うと、制御部としての演算処理部１１が、選択された動作プログラムにしたがって駆動部１３の動作を制御することにより、当該動作プログラムにしたがって座席部１２を動作させたのち、当該動作プログラムの使用情報を通信部１４からネットワーク（ＬＡＮ２０１およびインターネット２０２）を介してセンターサーバ１００に送信させる。なお使用者が入力操作部としての操作部１５を用い、年齢、身長、体重などの個人情報を入力した場合、演算処理部１１は、これらの個人情報を動作プログラムの使用情報とともにセンターサーバ１００に送信するようになっている。
【００１７】
図３はマッサージ機２の概略的なブロック図であり、マッサージ機２は、マイクロコンピュータからなり各回路要素の全体的な制御を行う演算処理部２０と、体の各部をマッサージするマッサージ機能部２１と、マッサージの部位、強さ、動きなどを設定する設定操作や、今回使用するユーザ名や年齢、身長などの個人情報を入力する入力操作などの操作を行うための操作部２２と、例えば液晶ディスプレイからなり操作部２２により設定された設定内容や運転状態を表示するための表示部２３と、マッサージ機能部２１を所定のパターンで動作させるための動作プログラムを複数記憶する記憶部２４と、外部との間で例えば赤外線通信やブルートゥースなどの通信方式により近距離の無線通信を行う通信部２５とを備える。ここに、マッサージ機能部２１により、使用者の体に作用して使用者の健康を増進させる作用部が構成される。
【００１８】
使用者が選択操作部たる操作部２２を用いて所望の動作プログラムを選択し、スタート操作を行うと、制御部としての演算処理部２０が、選択された動作プログラムを記憶部２４から読み出して実行することにより、当該動作プログラムにしたがってマッサージ機能部２１を動作させたのち、当該動作プログラムの使用情報を通信部２５からネットワーク（ＬＡＮ２０１およびインターネット２０２）を介してセンターサーバ１００に送信させる。なお使用者が入力操作部としての操作部２２を用い、年齢、身長、体重などの個人情報を入力した場合、演算処理部２０は、これらの個人情報を動作プログラムの使用情報とともにセンターサーバ１００に送信するようになっている。
【００１９】
住宅盤３は、主幹開閉器および分岐開閉器を内蔵して、宅内の分岐回路に電力を供給するとともに、宅内のＬＡＮ２０１に接続されるセキュリティ機器３ａが図示しないルータを介してインターネット２０２に接続されている。
【００２０】
ネットアダプタ４は、ＬＡＮケーブル２０３を介してセキュリティ機器３ａに接続されるとともに、小電力無線を利用してワイヤレス中継器５との間で無線電波によって通信を行うものである。またワイヤレス中継器５は、ネットアダプタ４との間で無線電波を用いた通信を行うとともに、他動運動機器１やマッサージ機２との間で例えば赤外線通信やブルートゥースなどの通信方式により近距離の無線通信を行うものである。すなわち、ワイヤレス中継器５の通信可能エリア内に存在する他動運動機器１やマッサージ機２から、送信元および送信先のＩＤを含むワイヤレス信号が送信され、このワイヤレス信号をワイヤレス中継器５が受信すると、ワイヤレス中継器５は受信したワイヤレス信号の通信プロトコルを変換して無線電波により送信する。そして、ネットアダプタ４が、ワイヤレス中継器５から送信された無線電波を受信すると、無線電波により送信された信号のプロトコル変換を行い、送信先のＩＤが示すネットワーク機器（後述の表示装置６やセンターサーバ１００など）へ信号を送信する。
【００２１】
表示装置６はネットワーク接続機能を備えたテレビジョン装置からなり、インターネット２０２およびＬＡＮ２０１を介してセンターサーバ１００から配信された画像データを画面６ｂ上に表示する。また表示装置６は、リモコン装置６ａから送信される赤外線のような光信号からなるワイヤレス信号を受信するワイヤレス受信部（図示せず）を備え、操作に応じてリモコン装置６ａから送信されたワイヤレス信号をワイヤレス受信部が受信し、当該ワイヤレス信号に応じて表示するチャンネルや音量の切り替えを行ったり、ネットワークを介してセンターサーバ１００にアクセスし、センターサーバ１００から動作プログラムを配信させることができる。なお、表示装置６は、他動運動機器１やマッサージ機２を使用する使用者が目視可能な位置に設置されているものとする。
【００２２】
一方、センターサーバ１００は例えばネットワークに接続する機能を備えたコンピュータからなり、演算処理部１０１と、ネットワーク（インターネット２０２およびＬＡＮ２０１）を介して他動運動機器１やマッサージ機２との間でデータ通信を行うための通信部１０２と、他動運動機器１やマッサージ機２でそれぞれ使用される複数の動作プログラムや各動作プログラムの使用状況を示す情報などを記憶する記憶部１０３とを備える。
【００２３】
また演算処理部１０１は、通信部１０２が複数台の他動運動機器１又は複数台のマッサージ機２から受信した動作プログラムの使用情報を集計して、各動作プログラムを使用回数の多い順番に順位付けする処理などを行うことで、各動作プログラムの使用状況を判定し、判定結果を記憶部１０３に記憶させる集計機能部１０４（判定部）と、集計機能部１０４の判定結果を例えばグラフで表示するための画像データを作成する画像作成機能部１０５と、集計機能部１０４の集計結果や画像作成機能部１０５により作成された画像データや動作プログラムを他動運動機器１又はマッサージ機２に配信させるための配信機能部１０６（配信部）とを備えている。
【００２４】
本システムでは、表示装置６が、ＬＡＮケーブル２０３を介してセキュリティ機器３ａに接続されており、インターネット２０２およびＬＡＮ２０１を介してセンターサーバ１００から配信された画像データを表示することができる。また他動運動機器１およびマッサージ機２はそれぞれワイヤレス中継器５およびネットアダプタ４を介してＬＡＮ２０１に接続されており、ＬＡＮ２０１およびインターネット２０２を介してセンターサーバ１００に接続されるので、センターサーバ１００との間でデータの送受信が行えるようになっている。尚、他動運動機器１、マッサージ機２、ネットアダプタ４、ワイヤレス中継器５および表示装置６にはそれぞれ個別のローカルＩＰアドレスが割り当てられており、センターサーバ１００と各機器との間で相互に通信が行えるようになっている。
【００２５】
ここで、本システムにおいて、センターサーバ１００にネットワークを介して接続された他動運動機器１およびマッサージ機２を使用する際の処理について以下に説明する。
【００２６】
まず他動運動機器１を使用する際の処理について図４のフローチャートに基づいて説明する。なおセンターサーバ１００では、通信部１０２がネットワークを介して他動運動機器１やマッサージ機２から動作プログラムの使用情報を受信すると、演算処理部１０１の集計機能部１０４は、当該動作プログラムの過去の使用回数を記憶部１０３から読み出すとともに、その使用回数に１を加算して、記憶部１０３に記憶させており、他動運動機器１またはマッサージ機２でそれぞれ使用される複数の動作プログラムについてその使用回数が個々のプログラム毎に集計されているものとする。
【００２７】
使用者が他動運動機器１の操作部１５を操作して、動作プログラムを選択する操作を行うと、演算処理部１１は、通信部１４からセンターサーバ１００に対して動作プログラムの使用状況を要求する要求信号を送信させる。この要求信号をセンターサーバ１００の通信部１０２が受信すると、演算処理部１０１が、他動運動機器１で使用される複数の動作プログラムの使用回数の情報を記憶部１０３から読み出し、画像作成機能部１０５が各動作プログラムの使用回数を表示するグラフの画像データを作成するとともに、配信機能部１０６が上記グラフの画像データを通信部１０２から要求元の他動運動機器１へ配信させる処理を行う。要求信号の送信元の他動運動機器１では、通信部１４がセンターサーバ１００から送信された画像データを受信すると、演算処理部１１が、表示部１７の表示を制御して、各動作プログラムの使用回数を示すグラフを画面１７ａに表示させており（図５参照）、画面１７ａに表示されたグラフＧ１，Ｇ２から使用頻度の高い動作プログラムを読み取ることができる（図４のステップＳ１）。尚、図５中のグラフＧ１は、５つの動作プログラムＡ〜Ｅについて２０〜３０代の使用情報を集計した結果を示し、グラフＧ２は、５つの動作プログラムＡ〜Ｅについて４０代以上の使用情報を集計した結果を示している。
【００２８】
表示部１７の表示を参考に、使用者が操作部１５を用いて所望の動作プログラムを選択すると（ステップＳ２）、演算処理部１１は、操作部１５からの選択信号に基づいて記憶部１６内を検索し、選択された動作プログラムが記憶部１６に登録されているか否かを判定する（ステップＳ３）。ステップＳ３の判定の結果、選択された動作プログラムが記憶部１６に存在する場合は、演算処理部１１が、当該動作プログラムを記憶部１６から読み出し、当該動作プログラムにしたがって駆動部１３を制御することで、座席部１２を所望のパターンで動作させる（ステップＳ４）。そして、動作プログラムが終了すると、使用情報通知部としての演算処理部１１が、今回使用した動作プログラムの使用情報を通信部１４からネットワークを介してセンターサーバ１００に送信しており、この使用情報を受信したセンターサーバ１００では、上述と同様の処理を経て複数の動作プログラムの使用回数を再集計し、集計結果を記憶部１０３に記憶させる。
【００２９】
一方、ステップＳ３の判定の結果、選択された動作プログラムが記憶部１６に存在しない場合（未登録の場合）は、ダウンロード要求部としての演算処理部１１が、当該動作プログラムのダウンロードを要求するダウンロード要求を通信部１４からネットワークを介してセンターサーバ１００へ送信させる（ステップＳ６）。センターサーバ１００では、通信部１０２が他動運動機器１からのダウンロード要求を受信すると、演算処理部１０１の配信機能部１０６が、要求された動作プログラムを記憶部１０３から読み出して、当該動作プログラムを通信部１０２から要求元の他動運動機器１へ配信させる。ダウンロード要求を行った他動運動機器１では、通信部１４が、センターサーバ１００から配信された動作プログラムを受信すると（ステップＳ７）、プログラム登録部としての演算処理部１１が、受信した動作プログラムを記憶部１６に登録させるとともに（ステップＳ８）、動作プログラムの開始準備完了を表示部１７に表示する。この表示を見た使用者が操作部１５を用いてスタート操作を行うと、演算処理部１１が、操作部１５のスタート操作に応じて当該動作プログラムを実行することによって駆動部１３の動作を制御し、座席部１２を所望のパターンで動作させる（ステップＳ９）。そして、動作プログラムが終了すると、演算処理部１１が、今回使用した動作プログラムの使用情報を通信部１４からネットワークを介してセンターサーバ１００に送信しており、この使用情報を受信したセンターサーバ１００では、上述と同様の処理を経て複数の動作プログラムの使用回数を再集計し、集計結果を記憶部１０３に記憶させる。
【００３０】
次にマッサージ機２を使用する際の処理ついて説明を行う。使用者がマッサージ機２の操作部２２を操作して、動作プログラムを選択する操作を行うと、演算処理部２０は、通信部２５からセンターサーバ１００に対して動作プログラムの使用状況を要求する要求信号を送信させる。この要求信号をセンターサーバ１００の通信部１０２が受信すると、演算処理部１０１が、マッサージ機２で使用される複数の動作プログラムの使用回数の情報を記憶部１０３から読み出し、画像作成機能部１０５が各動作プログラムの使用回数を表示するグラフの画像データを作成するとともに、配信機能部１０６が上記グラフの画像データを通信部１０２から要求元のマッサージ機２へ配信させる処理を行う。要求信号の送信元のマッサージ機２では、通信部２５がセンターサーバ１００から送信された画像データを受信すると、演算処理部２０が、表示部２３の表示を制御して、各動作プログラムの使用回数を示すグラフを画面に表示させており、画面に表示されたグラフから使用頻度の高い動作プログラムを読み取ることができる。
【００３１】
表示部２３の表示を参考に、使用者が操作部２２を用いて所望の動作プログラムを選択すると、演算処理部２０は、操作部２２からの選択信号に基づいて記憶部２４内を検索し、選択された動作プログラムが記憶部２４に登録されているか否かを判定する。この判定の結果、選択された動作プログラムが記憶部２４に存在する場合は、演算処理部２０が、当該動作プログラムを記憶部２４から読み出し、当該動作プログラムにしたがってマッサージ機能部２１を制御することで、マッサージ機能部２１を所望のパターンで動作させる。そして、動作プログラムが終了すると、使用情報通知部としての演算処理部２０が、今回使用した動作プログラムの使用情報を通信部２５からネットワークを介してセンターサーバ１００に送信しており、この使用情報を受信したセンターサーバ１００では、上述と同様の処理を経て複数の動作プログラムの使用回数を再集計し、集計結果を記憶部１０３に記憶させる。
【００３２】
一方、上記判定の結果、選択された動作プログラムが記憶部２４に存在しない場合は、ダウンロード要求部としての演算処理部２０が、当該動作プログラムのダウンロードを要求するダウンロード要求を通信部２５からネットワークを介してセンターサーバ１００へ送信させる。センターサーバ１００では、通信部１０２がマッサージ機２からのダウンロード要求を受信すると、演算処理部１０１の配信機能部１０６が、要求された動作プログラムを記憶部１０３から読み出して、当該動作プログラムを通信部１０２から要求元のマッサージ機２へ配信させる。ダウンロード要求を行ったマッサージ機２では、通信部２５が、センターサーバ１００から配信された動作プログラムを受信すると、プログラム登録部としての演算処理部２０が、受信した動作プログラムを記憶部２４に登録させるとともに、動作プログラムの開始準備完了を表示部２３に表示する。この表示を見た使用者が操作部２２を用いてスタート操作を行うと、演算処理部２０が、操作部２２のスタート操作に応じて当該動作プログラムを実行することによってマッサージ機能部２１の動作を制御し、マッサージ機能部２１を所望のパターンで動作させる。そして、動作プログラムが終了すると、演算処理部２０が、今回使用した動作プログラムの使用情報を通信部２５からネットワークを介してセンターサーバ１００に送信しており、この使用情報を受信したセンターサーバ１００では、上述と同様の処理を経て複数の動作プログラムの使用回数を再集計し、集計結果を記憶部１０３に記憶させる。
【００３３】
以上説明したように本実施形態の健康増進システムでは、ネットワークを介してセンターサーバ１００に接続された他動運動機器１やマッサージ機２が使用された場合に、他動運動機器１やマッサージ機２から動作プログラムの使用情報をセンターサーバ１００に送信することによって、センターサーバ１００で、複数の動作プログラムの使用状況を判定することができる。そして、センターサーバ１００は、複数の動作プログラムの使用状況を判定した結果を他動運動機器１やマッサージ機２へそれぞれ配信し、他動運動機器１やマッサージ機２において、センターサーバ１００の判定結果が表示部１７，２３に表示されているので、他動運動機器１やマッサージ機２の使用者は、表示部１７，２３の表示をもとに、複数の動作プログラムのうち使用頻度の高いものを把握することができる。
【００３４】
また他動運動機器１またはマッサージ機２の使用者が、表示部１７，２３に表示された各プログラムの使用状況に基づいて、所望の動作プログラムを選択した際に、当該動作プログラムが記憶部１６，２４に登録されていない場合は、センターサーバ１００から当該動作プログラムをダウンロードして記憶部１６，２４に登録しているので、動作プログラムの更新や追加にも容易に対応することができる。また１台のセンターサーバ１００からネットワークを介して接続された複数台の他動運動機器１またはマッサージ機２に対して動作プログラムを更新したり追加したりする処理を容易に行うことができる。
【００３５】
また本システムでは、他動運動機器１またはマッサージ機２の使用者が、操作部１５，２２を用いて自身の年齢や身長などの個人情報を入力した場合、これらの個人情報が動作プログラムの使用情報とともにセンターサーバ１００に送信される。この場合、センターサーバ１００の演算処理部１０１が、記憶部１０３に蓄積した複数の動作プログラムの使用状況と、他動運動機器１またはマッサージ機２から送信された個人情報とに基づいて、当該使用者に推奨する動作プログラムを選択し、通信部１０２から送信元の他動運動機器１またはマッサージ機２に対して返送させることも好ましく、使用者の年齢や身長などの個人情報をもとに使用者の身体能力に合わせた動作プログラムを提示することによって、健康の増進により有効な動作プログラムを使用者に提供することができる。
【図面の簡単な説明】
【００３６】
【図１】本実施形態の健康増進システムの概略的なシステム構成図である。
【図２】同上に用いる他動運動機器の概略的なブロック図である。
【図３】同上に用いるマッサージ機の概略的なブロック図である。
【図４】同上の動作を説明するフローチャートである。
【図５】同上に用いる他動運動機器の表示画面の例図である。
【符号の説明】
【００３７】
１  他動運動機器（運動増進機器）
２  マッサージ機（運動増進機器）
１１，２０  演算処理部（駆動部，使用情報通知部）
１２  座席部（作用部）
１３  駆動部
１４，２５  通信部
１５，２２  操作部（選択操作部）
１６，２４  記憶部
１７，２３  表示部
２１  マッサージ機能部（作用部）
１００  センターサーバ
１０１  演算処理部
１０２  通信部
１０３  記憶部
１０４  集計機能部（判定部）
１０５  画像作成機能部
１０６  配信機能部（配信部）
２０１  ＬＡＮ（ネットワーク）
２０２  インターネット（ネットワーク）
【図１】
0005144232.tif 000002
【図２】
0005144232.tif 000003
【図３】
0005144232.tif 000004
【図４】
0005144232.tif 000005
【図５】
0005144232.tif 000006